(57)【要約】【課題】  給水源から給水される水の圧力を利用して作動するポンプ機構により、給水源の給水圧の変動にかかわらず一定量の水石鹸を供給する水石鹸供給装置を提供する。【解決手段】  本発明の水石鹸供給装置１は、水石鹸タンク８と、給水源４に接続された水ポンプ室３８と、水石鹸タンクに接続された水石鹸ポンプ室４４と、水ポンプ室内の水圧によって駆動され、水ポンプ室と水石鹸ポンプ室の容積を変化させるピストン４５と、ピストンを両ポンプ室３８，４４の容積が共に減少する方向に付勢する圧縮コイルばね５４と、水ポンプ室に接続された電磁弁２８と、を有し、この電磁弁が閉鎖されると、水ポンプ室内の水圧が上昇し、ピストンが両ポンプ室の容積を共に増加させ、水石鹸タンクから水石鹸ポンプ室内に水石鹸が吸入され、電磁弁が開放されると、水ポンプ室内の水圧が低下し、ピストンが両ポンプ室の容積を共に減少させ、水石鹸ポンプ室から水石鹸が吐出される。【選択図】      図２
2006346009.tif 000002
【特許請求の範囲】
【請求項１】
給水源から給水される水の圧力を利用して作動するポンプ機構によって水石鹸を供給する水石鹸供給装置であって、
水石鹸が収容された水石鹸タンクと、
上記給水源に接続された水ポンプ室と、
上記水石鹸タンクに接続された水石鹸ポンプ室と、
上記水ポンプ室内の水圧によって駆動され、上記水ポンプ室と上記水石鹸ポンプ室の容積を変化させるように配置されたピストンと、
このピストンを上記水ポンプ室と上記水石鹸ポンプ室の容積が共に減少する方向に付勢するばね部材と、
上記水ポンプ室に接続された開閉弁であって、この開閉弁が閉鎖されると、上記水ポンプ室内の水圧が上昇し、上記ピストンが上記ばね部材の付勢力に抗して上記水ポンプ室と上記水石鹸ポンプ室の容積を共に増加させるように駆動し、上記水石鹸タンクから上記水石鹸ポンプ室内に水石鹸が吸入され、さらに、上記開閉弁が開放されると、上記水ポンプ室内の水圧が低下し、上記ピストンが上記ばね部材の付勢力により上記水ポンプ室と上記水石鹸ポンプ室の容積を共に減少させるように駆動し、上記水石鹸ポンプ室から水石鹸が吐出されるように作動する上記開閉弁と、
を有することを特徴とする水石鹸供給装置。
【請求項２】
上記水ポンプ室は、上記水ポンプ室内への水の流量を絞り込む流量絞り手段を介して上記給水源に接続されている請求項１記載の水石鹸供給装置。
【請求項３】
更に、使用者の手の存在を検出する検出手段を有し、上記開閉弁は、この検出手段が使用者の手の存在を検出すると開放される請求項１または２に記載の水石鹸供給装置。
【請求項４】
上記開閉弁は、他の吐水装置へ供給される水の流れを利用して発電された電力によって駆動される請求項１〜３のいずれか１項に記載の水石鹸供給装置。
【発明の詳細な説明】
【技術分野】
【０００１】
本発明は、水石鹸供給装置に係り、特に、給水源から給水される水の圧力を利用したポンプ機構によって水石鹸を供給する水石鹸供給装置に関する。
【背景技術】
【０００２】
従来から、洗面台等には、液状の水石鹸を供給する水石鹸供給装置が設けられている。従来の水石鹸供給装置としては、例えば、特許文献１に記載されているように、ポンプ機構を利用したものが知られている。
このポンプ機構を利用した従来の水石鹸供給装置は、水石鹸タンク内の水石鹸をポンプ機構によりポンプ室内に吸い上げて吐出口から吐出するようになっている。
また、ポンプ室は、水が圧送される水ポンプ室と水石鹸が圧送される水石鹸ポンプ室によって構成されている。これらのポンプ室には、両ポンプ室の容積を変化させて水石鹸の吐出口の開閉弁を開閉させるピストンが設けられており、水ポンプ室には、給水源からの水がピストンの上流側端部に供給されてポンプ室の吐水口から吐水される通水路が形成されている。
さらに、水ポンプ室のピストンよりも上流側の通水路には電磁弁が配置されており、この電磁弁が開くと、給水源からの水がピストンの上流側端部へ流れてピストンの上流側端部を加圧して吐水口から吐水されるようになっている。また、ピストンは、電磁弁が開放されている状態では、ポンプ室内の吐水時の給水圧に応じて駆動し、このピストンの駆動により水石鹸ポンプ室の容積が減少すると、水石鹸タンクから水石鹸ポンプ室内に水石鹸が吸い上げられ、水石鹸ポンプ室の吐出口の開閉弁が開放され、水石鹸が吐出されるようになっている。
【０００３】
【特許文献１】特表２００３−５２３８２２号
【発明の開示】
【発明が解決しようとする課題】
【０００４】
しかしながら、上述した従来の水石鹸供給装置においては、電磁弁がピストンよりも上流側の通水路に設けられており、電磁弁が開放された状態における水ポンプ室内の吐水時の給水圧を利用してポンプ機構のピストンを駆動させているため、給水源の給水圧の変動に応じてピストンの駆動量も変動し、水石鹸の吐出量にもばらつきが生ずるという問題がある。特に、給水源の給水圧が低くなると、ピストンの駆動量も小さくなるため、水石鹸の吐出量も少なくなり、使用者に十分な水石鹸が供給されないという問題がある。
【０００５】
そこで、本発明は、上述した従来技術の問題を解決するためになされたものであり、給水源から給水される水の圧力を利用して作動するポンプ機構により、給水源の給水圧の変動にかかわらず、一定量の水石鹸を供給する水石鹸供給装置を提供することを目的としている。
【課題を解決するための手段】
【０００６】
上記の目的を達成するために、本発明は、給水源から給水される水の圧力を利用して作動するポンプ機構によって水石鹸を供給する水石鹸供給装置であって、水石鹸が収容された水石鹸タンクと、給水源に接続された水ポンプ室と、水石鹸タンクに接続された水石鹸ポンプ室と、水ポンプ室内の水圧によって駆動され、水ポンプ室と水石鹸ポンプ室の容積を変化させるように配置されたピストンと、ピストンを水ポンプ室と水石鹸ポンプ室の容積が共に減少する方向に付勢するばね部材と、水ポンプ室に接続された開閉弁であって、この開閉弁が閉鎖されると、水ポンプ室内の水圧が上昇し、ピストンがばね部材の付勢力に抗して水ポンプ室と水石鹸ポンプ室の容積を共に増加させるように駆動し、水石鹸タンクから水石鹸ポンプ室内に水石鹸が吸入され、さらに、開閉弁が開放されると、水ポンプ室内の水圧が低下し、ピストンがばね部材の付勢力により水ポンプ室と水石鹸ポンプ室の容積を共に減少させるように駆動し、水石鹸ポンプ室から水石鹸が吐出されるように作動する開閉弁と、を有することを特徴としている。
このように構成された本発明の水石鹸供給装置においては、開閉弁が閉鎖されると、水ポンプ室の止水が行われて水ポンプ室内の水圧が上昇し、ピストンがばね部材の付勢力に抗して水ポンプ室と水石鹸ポンプ室の容積を共に増加させるように駆動することができる。これにより、水石鹸タンクから水石鹸ポンプ室内に水石鹸が吸入され、止水時の水ポンプ室内の水圧を給水源の給水圧の変動によらず一定にすることができ、水石鹸が水石鹸ポンプ室内に十分に補給された状態を維持することができる。さらに、開閉弁が開放されると、水ポンプ室の吐水が行われて水ポンプ室内の水圧が低下し、ピストンがばね部材の付勢力により水ポンプ室と水石鹸ポンプ室の容積を共に減少させるように駆動し、給水源の給水圧の変動によらず、水石鹸ポンプ室から一定量の水石鹸を吐出させることができる。
【０００７】
本発明において、水ポンプ室は、水ポンプ室内への水の流量を絞り込む流量絞り手段を介して給水源に接続されていることが好ましい。
このように構成された本発明においては、開閉弁が開放された際、水ポンプ室内の水を速やかに排出して水ポンプ室内の水圧を十分に低下させることができ、ピストンを水ポンプ室と水石鹸ポンプ室の容積が共に減少する方向に確実に摺動させることができる。
【０００８】
本発明において、更に、使用者の手の存在を検出する検出手段を有し、開閉弁は、この検出手段が使用者の手の存在を検出すると開放されることが好ましい。
このように構成された本発明においては、使用者が水石鹸供給装置に一切触れることなく、検出手段に手を差し向けるだけで、水石鹸を使用者の手に向けて吐出させることができるため、衛生的である。
【０００９】
本発明において、開閉弁は、他の吐水装置へ供給される水の流れを利用して発電された電力によって駆動されることが好ましい。
このように構成された本発明においては、他の吐水装置へ供給される水の流れを利用して発電された電力を開閉弁の駆動に利用することができるため、外部の給電設備が不要となり、それらの施工場所の電気工事も不要となる。また、開閉弁において電池等による他の電力供給を併用した場合には、電池の消耗を抑制することができ、電池交換等のメンテナンスの負担を減らすことができる。
【発明の効果】
【００１０】
本発明の水石鹸供給装置によれば、給水源から給水される水の圧力を利用して作動するポンプ機構により、給水源の給水圧の変動にかかわらず一定量の水石鹸を供給することができる。
【発明を実施するための最良の形態】
【００１１】
以下、添付図面を参照して本発明の水石鹸供給装置の実施形態について説明する。
図１は、本発明の第１実施形態による水石鹸供給装置１が組み込まれた洗面台２の全体構成を概略的に示す概略全体構成図である。図１に示すように、洗面台２のカウンター２ａには、上水道等の給水源４からの水道水を洗面器（図示せず）に吐水する装置である給水栓６と、水石鹸タンク８内から供給された水石鹸１０を洗面器（図示せず）に吐出する水石鹸供給栓１２が設けられている。
【００１２】
洗面台２の内部には、給水源４から給水栓６に至る通水路１４が配置されている。通水路１４には、これを止水する止水栓１６が設けられており、この止水栓１６は、通常、水石鹸供給装置１を使用する際には開放されたままの状態となっている。
また、通水路１４は、止水栓１６より下流側において、給水栓６に通ずる給水栓用通水路１４ａと、この給水栓用通水路１４ａから分岐して水石鹸供給装置本体３を介して水石鹸供給栓１２に通ずるポンプ通水路１４ｂの２つの通水路に分かれている。ここで、ポンプ通水路１４ｂ内の水は、詳細は後述する水石鹸供給装置本体３のポンプ機構部であるダイヤフラム式のピストンポンプ２６の作動に利用されるようになっている。
【００１３】
止水栓１６の下流側の給水栓用通水路１４ａには給水栓用電磁弁１８が設けられ、この電磁弁１８の下流側には、給水栓用通水路１４ａ内の水流を利用して発電する発電機２０が設けられている。
また、給水栓６の吐水口６ａ付近には、使用者の手の存在を検出する給水栓用のセンサー２２が組み込まれている。使用者の手の存在を検出したセンサー２２は、その検出信号２２ａをコントローラ２４に送信し、コントローラ２４は、この検出信号２２ａに基づいて電磁弁１８にその開閉動作を制御する信号１８ａを送信し、電磁弁１８の開閉動作が制御されるようになっている。
【００１４】
つぎに、洗面台２に組み込まれた本実施形態の水石鹸供給装置１は、ポンプ機構部であるダイヤフラム式のピストンポンプ２６を含む水石鹸供給装置本体３（詳細は後述する）、水石鹸タンク８、水石鹸供給栓１２、ポンプ通水路１４ｂ、コントローラ２４、水石鹸供給装置本体３に組み込まれている水石鹸供給装置用電磁弁２８、水石鹸タンク８の水石鹸１０が水石鹸供給栓１２へと送られる水石鹸供給路３０、及び、使用者の手の存在を検出する水石鹸供給栓用センサー３２によって構成されている。なお、水石鹸供給装置本体３は、ポンプ通水路１４ｂと水石鹸供給路３０の一部を含む。
水石鹸供給栓１２の下流側端部には、ポンプ通水路１４ｂの最終出口である水石鹸供給栓吐水口１２ａ、水石鹸供給路３０の最終出口である水石鹸供給栓吐出口１２ｂ、及び、水石鹸供給栓１２に組み込まれている水石鹸供給栓用センサー３２の検出部１２ｃが並列して配置されている。
【００１５】
水石鹸供給装置用電磁弁２８は、水石鹸供給装置本体３のポンプ通水路１４ｂにおけるピストンポンプ２６の下流側に組み込まれおり、電磁弁２８内のポンプ通水路１４ｂを通水状態又は止水状態に切り替える開閉弁である。この電磁弁２８は、鉛直方向に摺動してポンプ通水路１４ｂの通水口２９を開閉する弁部材２８ａを含む。
また、センサー３２が使用者の手を検出した信号３２ａはコントローラ２４に送信され、コントローラ２４が信号３２ａに基づいて電磁弁２８に制御信号２８ｂを送信することにより、電磁弁２８の開閉動作が制御されるようになっている。
さらに、電磁弁２８の駆動電力には、電池（図示せず）等による電力と併用して給水栓用通水路１４ａの発電機２０によって発電された電力が使用されるようになっている。
【００１６】
図２は、本発明の第１実施形態による水石鹸供給装置１の水石鹸供給装置本体３の部分を拡大した正面断面図を示す。ここで、図２に示す水石鹸供給装置本体３は、水石鹸が水石鹸供給装置１から吐出される前の状態（以下「吐出待機状態」と呼ぶ）を示している。
図２に示すように、水石鹸供給装置本体３の内部のほぼ中央付近には、ポンプ機構部であるダイヤフラム式のピストンポンプ２６が組み込まれている。また、水石鹸供給装置本体３の内部には、ピストンポンプ２６の作動に利用される給水源４からの水が流れるポンプ通水路１４ｂと、ピストンポンプ２６の作動により水石鹸タンク８から供給される水石鹸１０が流れる水石鹸供給路３０が形成されている。
水石鹸供給装置本体３のポンプ通水路１４ｂにおいて、ポンプ通水路１４ｂの入口部３４と出口部３６との間にあるピストンポンプ２６の内部上方には、ポンプ通水路１４ｂ内の水の圧送が行われる水ポンプ室３８が形成されている。
また、水石鹸供給装置本体３の水石鹸供給路３０において、水石鹸供給路３０の入口部４０と出口部４２との間にあるピストンポンプ２６の内部下方には、水石鹸供給路３０内の水石鹸の圧送が行われる水石鹸ポンプ室４４が形成されている。
【００１７】
ダイヤフラム式のピストンポンプ２６は、鉛直方向に摺動可能に設けられたピストン４５を備えている。ピストン４５は、ピストンロッド４６、上部ピストンヘッド４８及び下部ピストンヘッド５０によって構成されている。両ピストンヘッド４８，５０は、互いに上下平行になるようにピストンロッド４６の上端部４６ａと下端部４６ｂにそれぞれ一体的に設けられている。
各ピストンヘッド４８，５０は、ダイヤフラム５１，５３をそれぞれ備えており、水ポンプ室３８内と水石鹸ポンプ室４４内のそれぞれにおいてピストンロッド４６と共に鉛直方向に摺動可能に配置されている。
ピストンロッド４６と両ピストンヘッド４８，５０は、ピストンロッド４６の上端部４６ａと上部ピストンヘッド４８の上端部４８ａが受圧した水ポンプ室３８内の水圧に応じて一体的に鉛直方向に摺動し、水ポンプ室３８内の容積と水石鹸ポンプ室４４内の容積が増減するようになっている。
【００１８】
また、水石鹸ポンプ室４４の上部を区画形成する水石鹸ポンプ室上壁部５２と上部ピストンヘッド４８の底部４８ｂとの間には、ばね室５６が形成され、圧縮コイルばね５４がピストンロッド４６のほぼ同軸外側に配置されている。この圧縮コイルばね５４は、上部ピストンヘッド４８が水ポンプ室３８内の水圧を受圧してピストン４５の全体が下方へ移動することによりコイル軸方向に圧縮され、上部ピストンヘッド４８を水ポンプ室３８内の容積が減少する方向（上方）に付勢するようになっている。
水ポンプ室３８の上部は密閉保持部材５８によって密閉して保持されており、この密閉保持部材５８により、ピストンロッド４６の上方への摺動が制限されて、ピストンロッド４６を介して両ピストンヘッド４８，５０の上方への摺動も制限されるようになっている。また、密閉保持部材５８の中心部５８ａは、密閉保持部材５８の外周部５８ｂに螺合されている。中心部５８ａをその中心軸線５８ｃを中心に回転させることにより、中心部５８ａを上下方向に移動させて中心部５８ａの上下方向の位置を調整し、ピストン４５のストロークを変更することができるようになっている。さらに、ピストン４５のストロークを変更することによって、水石鹸ポンプ室４４からの水石鹸の吐出量を調整することができるようになっている。
水ポンプ室３８の側壁３８ａの下周縁部には、上部ピストンヘッド４８の上周縁部の突起４８ｃを係止する段部６０が形成され、この段部６０の上面部分には、これらの部分の隙間をシールするパッキン６１が設けられている。また、ピストン４５が下方に摺動して上部ピストンヘッド４８の突起４８ｃが段部６０のパッキン６１に当接することにより、上部ピストンヘッド４８の下方への摺動が制限されると共に、ピストンロッド４６を介して下部ピストンヘッド５０の下方への摺動が制限され、ピストン４５を加圧する水ポンプ室３８の水圧がダイヤフラム５１を加圧しないようになっている。
ここで、図２に示すように、水石鹸の吐出を待機している状態では、ピストン４５は水ポンプ室３８内と水石鹸ポンプ室４４内のそれぞれにおいて最も降下した位置にあり、以下、この水石鹸の吐出を待機している状態におけるピストン４５の両ピストンヘッド４８，５０の各位置を「水石鹸吐出待機位置」と呼ぶ。この水石鹸吐出待機位置は水石鹸供給装置１の動作における大部分の時間を占めるものである。この位置では上述したようにピストン４５を加圧する水ポンプ室３８の水圧がダイヤフラム５１を加圧しないようになっており、ダイヤフラム５１が破損してしまうことを防ぐことができるようになっている。
一方、詳細は図３において説明するが、水石鹸の吐出を完了している状態では、ピストン４５は水ポンプ室３８内と水石鹸ポンプ室４４内のそれぞれにおいて最も上昇した位置にあり、以下、この水石鹸の吐出を完了している状態におけるピストン４５の両ピストンヘッド４８，５０の各位置を「水石鹸吐出完了位置」と呼ぶ。
ばね室５６の側壁５６ａの一部分には、上部ピストンヘッド４８が下方に摺動してばね室５６の容積が減少した際、ばね室５６内で加圧された空気を水石鹸供給装置本体３の外部へ脱気するための脱気孔（図示せず）が形成されている。
【００１９】
さらに、ポンプ通水路１４ｂの入口部３４には、水ポンプ室３８内に流れる水の流量を絞り込む流量絞り部材６２が設けられている。この流量絞り部材６２の流路６４は、ポンプ通水路１４ｂの他の部分の流路に比べて断面が十分に細くなっている。
また、水石鹸供給路３０の入口部４０と出口部４２には、水石鹸の逆流を防ぐ入口側逆止弁６６と出口側逆止弁６８がそれぞれ設けられている。各逆止弁６６，６８には、弁部材６６ａ，６８ｂと圧縮コイルばね７０，７２がそれぞれ設けられ、水石鹸供給路３０の水石鹸の圧力を受圧した各弁部材６６ａ，６８ｂにより、各圧縮コイルばね７０，７２が軸方向に圧縮され、流入口４０ａと吐出口４２ａが開閉されるようになっている。
【００２０】
つぎに、上述した本実施形態の水石鹸供給装置１の動作（作用）について説明する。
水石鹸供給装置１が使用可能な状態では、上水道等の給水源４から通水路１４を流れた水道水は、開放された止水栓１６を通過して給水栓用通水路１４ａに流れる水とポンプ通水路１４ｂに流れる水に分かれる。なお、使用者が給水栓６を使用する前の状態においては、給水栓用通水路１４ａの給水栓用電磁弁１８は閉鎖されている。
使用者が給水栓用のセンサー２２に手を近づけると、センサー２２が手の存在を検出し、その検出信号２２ａがコントローラ２４に送られる。コントローラ２４は、受信した検出信号２２ａに基づき電磁弁１８に制御信号１８ａを送信すると、電磁弁１８が所定時間開放され、給水栓用通水路１４ａを流れた水は給水栓６の吐水口６ａから吐水される。また、発電機２０が給水栓用通水路１４ａの水流を利用して発電を行い、この発電した電力が給水栓用電磁弁１８や水石鹸供給装置用電磁弁２８等の各装置の駆動電力として利用される。
【００２１】
また、図２に示すように、使用者が水石鹸供給装置１を使用する前の状態の水石鹸供給装置本体３では、給水源４から通水路１４を流れた水道水が、開放状態にある止水栓１６を通過してポンプ通水路１４ｂを流れ、水石鹸供給装置本体３内のポンプ通水路１４ｂの入口部３４に流入する。このポンプ通水路１４ｂの入口部３４に流入した水は、流量絞り部材６２の流路６４を流れてピストンポンプ２６の水ポンプ室３８内に流入している。このとき、電磁弁２８の弁部材２８ａは鉛直方向下方に摺動してポンプ通水路１４ｂの通水口２９を閉鎖しているため、通水口２９の下流側となるポンプ通水路１４ｂの出口部３６が止水されている。
さらに、止水状態の水ポンプ室３８は、ポンプ通水路１４ｂの入口部３４から流入した水によって容積が最大容積まで増加して満水状態となっており、水ポンプ室３８内の水圧（止水時の給水圧）は、ほぼ静水圧に近い状態となるため、給水源４の給水圧の変動によらずほぼ一定となっている。
また、ピストン４５のピストンロッド４６と上部ピストンヘッド４８は、満水となった水ポンプ室３８内の水圧により加圧されて最も下方の制限位置（水石鹸吐出待機位置）まで摺動している。このとき、ばね室５６の圧縮コイルばね５４も軸方向に圧縮されて、上部ピストンヘッド４８の突起４８ｃが水ポンプ室３８の段部６０に当接して停止している（図２参照）。
【００２２】
また、下部ピストンヘッド５０についても、ピストンロッド４６と上部ピストンヘッド４８と共に最も下方の位置（水石鹸吐出待機位置）まで摺動し、水石鹸ポンプ室４４の容積が最大容積まで増加し、水石鹸タンク８から一定量の水石鹸１０が水石鹸供給路３０の入口部４０を経て水石鹸ポンプ室４４に吸い上げられた状態となっている。このとき、水ポンプ室３８内の止水時の給水圧に相当する加圧力が圧縮コイルばね５４の付勢力を上回り、ピストン４５が最も下方の位置において停止状態に維持され、水石鹸供給装置本体３は水石鹸ポンプ４４室内からの水石鹸の吐出を待機している状態となっている（図２参照）。また、この水石鹸の吐出待機状態では、水石鹸供給路３０の各逆止弁６６，６８は、流入口４０ａと吐出口４２ａをそれぞれ閉鎖した状態となっている。
【００２３】
つぎに、使用者が水石鹸供給装置１を使用して手に水石鹸を供給する場合には、まず、使用者が水石鹸供給栓１２のセンサー検出部１２ｃに手を近づけると、センサー３２が手の存在を検出し、その検出信号３２ａがコントローラ２４に送られる。コントローラ２４は、受信した検出信号３２ａに基づき、水石鹸供給装置用電磁弁２８に制御信号２８ｂを送信し、電磁弁２８の弁部材２８ａが鉛直方向上方に摺動して電磁弁２８内のポンプ通水路１４ｂの通水口２９が所定時間開放されて、後述する水石鹸の吐出操作が行われる。
【００２４】
図３は、本実施形態の水石鹸供給装置１の水石鹸供給装置本体３における水石鹸吐出操作時の作動状態を示す、図２と同様な正面断面図である。
上述したピストン４５が水石鹸吐出待機位置にある状態（図２参照）の水石鹸供給装置本体３から、図３に示すように電磁弁２８によってポンプ通水路１４ｂの通水口２９が所定時間開放されると、水ポンプ室３８内の水が通水口２９を経て出口部３６から下流側へ吐水され、水ポンプ室３８内の水圧が低下する。出口部３６から下流側へ吐水された水は、最終的には、水石鹸供給栓１２の吐水口１２ａから吐水される。このとき、水ポンプ室３８内の水が吐水されて水圧が減少したことによって、ピストン４５を上昇させようとする圧縮コイルばね５４の付勢力が水ポンプ室３８内の水圧によるピストン４５の下向きの加圧力を上回り、ピストン４５が上昇して水ポンプ室３８の容積を減少させる。
また、水ポンプ室３８内には、継続してポンプ通水路１４ｂの入口部３４の上流側から流量絞り部材６２の流路６４を経て水が送られている。流量絞り部材６２の流路６４がポンプ通水路１４ｂの他の各部の流路に比べて断面が十分に細くなっているため、電磁弁２８が開放状態である間は、水ポンプ室３８内から通水口２９を経て流出する水の流量が、流量絞り部材６２を経て水ポンプ室３８内に流入する水の流量を大きく上回る。したがって、ピストン４５が水石鹸吐出待機位置にある状態のときに水ポンプ室３８内に収容されてピストン４５を加圧していた水は、電磁弁２８が開放されると速やかに下流側へ排出され、ピストン４５が確実に水石鹸吐出完了位置まで上昇する。
【００２５】
また、水石鹸ポンプ室４４においても、上述したようなピストン４５の上昇にともない、下部ピストンヘッド５０が水石鹸ポンプ室４４の容積を減少させるように水石鹸吐出完了位置まで上昇し、水石鹸ポンプ室４４内に収容されている一定量の水石鹸が水石鹸ポンプ室４４の外部へ押し出される。このとき、入口側逆止弁６６は閉鎖されたままの状態であるが、出口側逆止弁６８の弁部材６８ａは、水石鹸ポンプ室４４から押し出された水石鹸の圧力を受圧して、吐出口４２ａを開放する方向（左方向）に摺動して圧縮コイルばね７２を圧縮する。
吐出口４２ａが開放されると、水石鹸ポンプ室４４内から一定量の水石鹸が吐出され、出口側逆止弁６８の弁部材６８ａが受圧する水石鹸の圧力が減少する。弁部材６８ａは、水石鹸の圧力の減少と共に、圧縮コイルばね７２の付勢力により吐出口４２ａを閉鎖する方向（右方向）に摺動し、吐出口４２ａが完全に閉鎖されて吐出口４２ａから一定量の水石鹸の吐出が完了する。
【００２６】
出口側逆止弁６８の吐出口４２ａから吐出された一定量の水石鹸は、水石鹸供給路３０の出口部４２の下流側へ送られ、最終的には、水石鹸供給栓１２の吐出口１２ｂから吐出される。これと同時に、水石鹸供給栓吐出口１２ｂに並置された水石鹸供給栓吐水口１２ａにおいても、電磁弁２８が開放されている間に通水口２９を通過した水の流量分だけ吐水が行われる。
水石鹸の吐出が完了すると、電磁弁２８の弁部材２８ａにより、通水口２９が再び閉鎖され、後述する水石鹸の補給操作が行われる。
【００２７】
図４は、本実施形態の水石鹸供給装置１の水石鹸供給装置本体３における水石鹸補給操作時の作動状態を示す、図２及び図３と同様な正面断面図である。
上述したピストン４５が水石鹸吐出完了位置にある状態（図３参照）の水石鹸供給装置本体３から、図４に示すように電磁弁２８によってポンプ通水路１４ｂの通水口２９が再び閉鎖されると、継続してポンプ通水路１４ｂの入口部３４の上流側から流量絞り部材６２の流路６４を経て水ポンプ室３８内に送られた水が水ポンプ室３８内に貯まる。また、ピストンロッド４６の上端部４６ａと上部ピストンヘッド４８の上端部４８ａが水ポンプ室３８内に貯水された水の圧力を受圧し、ピストン４５が再び下方に摺動する。
これと同時に、水石鹸ポンプ室４４内では、ピストン４５の下方への摺動にともない、下部ピストンヘッド５０が下方へ摺動して水石鹸ポンプ室４４内の容積が増加し、水石鹸ポンプ室４４内には、容積の増加分に応じて水石鹸タンク８から水石鹸１０を吸入しようとする負圧が生じる。
【００２８】
また、水石鹸ポンプ室４４内に負圧が生じている状態の水石鹸供給路３０では、上流側逆止弁６６の弁部材６６ａが、この負圧により流入口４０ａを開放する方向（左方向）に摺動して圧縮コイルばね７０を圧縮する。流入口４０ａが開放されると、水石鹸ポンプ室４４内の容積の増加分に相当する量の水石鹸が水石鹸タンク８から水石鹸供給路３０に吸入され、流入口４０ａを通過して水石鹸ポンプ室４４内に吸入されて補給される。
一方、水石鹸供給路３０の出口側逆止弁６８では、水石鹸ポンプ室４４内に生じている負圧と圧縮コイルばね７２の付勢力により、弁部材６８ａが吐出口４２ａを閉鎖したままの状態を維持する。
水ポンプ室３８内の貯水量の増加と共にその水圧によってピストン４５が圧縮コイルばね５４の付勢力に抗して下方の水石鹸吐出待機位置まで押し下げられ、水石鹸ポンプ室４４の容積の増加が止まり、水石鹸タンク８からの水石鹸の補給が停止し、補給完了となる。このとき、水石鹸供給装置本体３は、図２に示すような、再び水石鹸の吐出待機状態となり、水石鹸供給装置１における水石鹸の吐出から補給までの一連の作業が終了する。
【００２９】
上述した本発明の第１実施形態による水石鹸供給装置１によれば、水石鹸吐出待機時及び水石鹸補給操作時において、水石鹸供給装置本体３の水ポンプ室３８の下流側に組み込まれた水石鹸供給装置用電磁弁２８が通水口２９を閉鎖して水ポンプ室３８を止水することにより、止水時の水ポンプ室３８内の給水圧を給水源４の給水圧の変動によらず一定にすることができる。また、水ポンプ室３８内の止水時の給水圧を利用することにより、ピストン４５を圧縮コイルばね５４の付勢力に抗して確実に水石鹸吐出待機位置まで摺動させることができ、水石鹸ポンプ室４４内に水石鹸を吸入して十分に補給した状態を維持することができる。
また、本実施形態の水石鹸供給装置１によれば、水石鹸吐出待機後の水石鹸吐出操作時において、電磁弁２８が通水口２９を閉鎖した状態から開放した状態に切り替わると、水ポンプ室３８内の水が通水口２９を経て吐水される。さらに、ポンプ通水路１４ｂの入口部３４に水ポンプ室３８内への水の流量を絞り込む流量絞り部材６２が設けられているため、電磁弁２８が開放された際、水ポンプ室３８内の水を速やかに吐水して水ポンプ室３８内の給水圧を十分に低下させることができる。また、ピストン４５が水ポンプ室３８内の給水圧の低下と共に圧縮コイルばね５４の付勢力により確実に水石鹸吐出完了位置まで摺動することができる。
これらの結果、本実施形態の水石鹸供給装置１は、水石鹸吐出待機時及び水石鹸補給操作時には、電磁弁２８が閉鎖している止水時の水ポンプ室３８内の給水圧を利用して、水石鹸ポンプ室４４内に水石鹸を確実に補給し、水石鹸吐出操作時には、電磁弁２８を開放して吐水時の水ポンプ室３８内の給水圧を十分に低下させて水石鹸ポンプ室４４から水石鹸を確実に吐出させるため、給水源４の給水圧の変動によらず水石鹸供給栓１２の吐出口１２ｂから一定量の水石鹸を使用者の手に供給することができる。
【００３０】
さらに、本実施形態の水石鹸供給装置１によれば、使用者の手の存在を検出するセンサー３２が水石鹸供給栓１２に組み込まれており、電磁弁２８がこのセンサー３２が検出した情報に基づき作動するため、使用者が水石鹸供給装置１に一切触れることなく、センサー３２に手を差し向けるだけで、水石鹸供給栓１２の吐出口１２ｂから使用者の手に一定量の水石鹸を吐出することができるため、衛生的に使用することができる。
また、本実施形態の水石鹸供給装置１によれば、給水栓６に通ずる給水栓用通水路１４ａに設けられた発電機２０が給水栓用通水路１４ａの水流を利用して発電を行い、その発電した電力が給水栓用電磁弁１８や水石鹸供給装置用電磁弁２８等の各装置の駆動電力として利用されるため、外部からの給電が不要となり、施工場所の電気工事を不要にすることができる。また、発電機２０からの電力を給水栓用電磁弁１８や水石鹸供給装置用電磁弁２８等の各装置の作動に利用することができるため、例えば、電池等による他の電力供給を併用する場合には、電池の消耗を抑制することができ、電池交換等のメンテナンスの負担を減らすことができる。
【００３１】
なお、上述した本実施形態の水石鹸供給装置１の水石鹸供給装置本体３については、図２〜図４に示すように、水石鹸供給装置本体３のポンプ通水路１４ｂと水石鹸供給路３０がほぼ水平方向に延びてかつピストン４５が上下方向に摺動するように水石鹸供給装置本体３を水石鹸供給装置１内に横向きに設置した形態について説明したが、このような設置形態に限定されない。例えば、他の設置形態として、水石鹸供給装置本体３が水石鹸供給装置１内に縦向きに設置することにより、水石鹸供給装置本体３のポンプ通水路１４ｂと水石鹸供給路３０がほぼ垂直方向に延びて各上流側と下流側が下方と上方にそれぞれ位置し、かつピストン４５が水平方向に摺動するようにした形態についても適用可能である。
【００３２】
つぎに、本発明の第２実施形態による水石鹸供給装置について説明する。
図５は、本実施形態の水石鹸供給装置８０の水石鹸供給装置本体８２を示す拡大正面断面図である。
なお、本実施形態の水石鹸供給装置８０における水石鹸供給装置本体８２以外の部分については、図１に示す第１実施形態の水石鹸供給装置本体３以外の部分と共通しているため、それらの説明については省略する。また、図５に示す水石鹸供給装置本体８２の部分についても、図２〜図４に示す第１実施形態の水石鹸供給装置本体３の部分と同一の部分については同一の符号を付し、それらの説明は省略する。
【００３３】
図５に示すように、水石鹸供給装置本体８２は、水石鹸が水石鹸供給装置８０から吐出される前の吐出待機状態を示している。本実施形態の水石鹸供給装置本体８２では、ポンプ通水路１４ｂと水石鹸供給路３０のそれぞれが上流側から下流側にかけてほぼ垂直方向に上方に延びるように形成されており、ピストンポンプ８４のピストン８５が水平方向に摺動するように構成されている点で第１実施形態の水石鹸供給装置本体３の構成と異なっている。
また、水石鹸供給装置本体８２のピストンポンプ８４において、水ポンプ室３８と水石鹸ポンプ室４４を摺動するピストン８５のピストンロッド８６の両端に取り付けられた各ピストンヘッド８８，９０の周囲がＵパッキン９２によってシールされている構成についても第１実施形態のダイヤフラム式ピストンポンプ２６の構成と異なっている。また、図５中の９３は、ばね室５６の容積が減少した際、ばね室５６内で加圧された空気を水石鹸供給装置本体８２の外部へ脱気するための脱気孔である。
【００３４】
図５に示すように、水石鹸の吐出を待機している状態では、ピストン８５の各ピストンヘッド８８，９０は水ポンプ室３８内と水石鹸ポンプ室４４内のそれぞれにおいて最も左側に摺動した位置にあり、以下、この水石鹸の吐出を待機している状態におけるピストン８５の両ピストンヘッド８８，９０の各位置を「水石鹸吐出待機位置」と呼ぶ。
一方、詳細は図６において説明するが、水石鹸の吐出を完了している状態では、ピストン８５は水ポンプ室３８内と水石鹸ポンプ室４４内のそれぞれにおいて最も右側に摺動した位置にあり、以下、この水石鹸の吐出を完了している状態におけるピストン８５の両ピストンヘッド８８，９０の位置を「水石鹸吐出完了位置」と呼ぶ。
また、ピストンロッド８６の水石鹸側端部８６ａの外周面には、ピストンヘッド９０に螺合するねじ溝８６ｂが形成されている。ピストンロッド８６の水石鹸側端部８６ａを軸回りに回転させることによって、ピストンヘッド９０とピストンロッド８６の水平方向の相対位置を調整し、ピストン８５のストロークを変更することができるようになっている。さらに、ピストン８５のストロークを変更することによって、水石鹸ポンプ室４４からの水石鹸の吐出量を調整することができるようになっている。
さらに、水石鹸供給路３０の入口部４０と出口部４２にそれぞれ設けられた入口側逆止弁９４と出口側逆止弁９６としてボール弁９４ａ，９６ａが使用されており、各ボール弁９４ａ，９６ａは、水石鹸供給路３０内の水石鹸の圧力に応じて流入口４０ａと吐出口４２ａを適宜開閉し水石鹸ポンプ室４４における水石鹸の吐出入を行うと共に、水石鹸供給路３０内の水石鹸の下方への逆流を適所に防ぐようになっている。
【００３５】
つぎに、上述した本発明の第２実施形態の水石鹸供給装置８０の動作（作用）について説明する。
図５に示すように、使用者が水石鹸供給装置８０を使用する前の吐出待機状態の水石鹸供給装置本体８２では、給水源４からポンプ通水路１４ｂに流れた水が、水石鹸供給装置本体８２におけるポンプ通水路１４ｂの入口部３４の流路６４を経てピストンポンプ８４の水ポンプ室３８内に流入している。このとき、水石鹸供給装置用電磁弁２８の弁部材２８ａは通水口２９を閉鎖しており、ポンプ通水路１４ｂの出口部３６が止水されている。また、水ポンプ室３８は、流入した水によって容積が最大容積まで増加して満水状態となっている。このとき、水ポンプ室３８内の水圧（止水時の給水圧）は、ほぼ静水圧に近い状態となるため、給水源４の給水圧の変動によらずほぼ一定となっている。
さらに、ピストンポンプ８４のピストン８５の両ピストンヘッド８８，９０は、満水となった水ポンプ室３８内の水圧により加圧され、圧縮コイルばね５４の付勢力に抗して最も左側まで摺動して水石鹸吐出待機位置にある。このとき、ばね室５６の圧縮コイルばね５４も軸方向に圧縮されて、ピストンヘッド８８は水ポンプ室３８の段部６０に当接して停止している。
また、水石鹸ポンプ室４４の容積も最大容積まで増加して、水石鹸タンク８から一定量の水石鹸１０が水石鹸供給路３０の入口部４０を経て水石鹸ポンプ室４４に吸い上げられた状態となっている。このとき、水ポンプ室３８内の止水時の給水圧に相当する加圧力が圧縮コイルばね５４の付勢力を上回り、ピストン８５が最も左側の位置において停止状態に維持される。
また、水石鹸供給路３０の各逆止弁９４，９６の各ボール弁９４ａ，９６ａは、流入口４０ａと吐出口４２ａをそれぞれ閉鎖した状態となっている。
【００３６】
つぎに、使用者が水石鹸供給栓１２のセンサー検出部１２ｃに手を近づけると、これを検出したセンサー３２からの検出信号３２ａを受信したコントローラ２４の制御により、水石鹸供給装置用電磁弁２８の弁部材２８ａがポンプ通水路１４ｂの通水口２９を所定時間開放され、水石鹸の吐出操作が行われる。
図６は、本実施形態の水石鹸供給装置８０の水石鹸供給装置本体８２における水石鹸吐出操作時の作動状態を示す、図５と同様な正面断面図である。
図６に示すように電磁弁２８によってポンプ通水路１４ｂの通水口２９が所定時間開放されると、水ポンプ室３８内の水が通水口２９を経て出口部３６から下流側へ吐水され、最終的には、水石鹸供給栓１２の吐水口１２ａから吐水される。このとき、水ポンプ室３８内の水が流出したことによって、水ポンプ室３８内の水圧が減少し、圧縮コイルばね５４の付勢力が、ピストン８５を左方向に摺動させようとする水ポンプ室３８内の水圧に相当する加圧力を上回ると、ピストン８５が水ポンプ室３８内の容積を減少させる方向（右方向）に摺動する。
【００３７】
一方、水石鹸ポンプ室４４においては、水ポンプ室３８内の容積を減少させる方向へのピストン８５の摺動にともない、ピストンヘッド９０も水石鹸ポンプ室４４の容積を減少させる方向に摺動し、水石鹸ポンプ室４４内に収容されている一定量の水石鹸が水石鹸ポンプ室４４から外部上方へ押し出される。このとき、入口側逆止弁９４のボール弁９４ａは流入口４０ａを閉鎖したままの状態であるが、出口側逆止弁９６のボール弁９６ａは、水石鹸ポンプ室４４から押し出された水石鹸の圧力を受圧して、吐出口４２ａを開放する方向（上方）に移動する。
吐出口４２ａが開放されると、水石鹸ポンプ室４４内から一定量の水石鹸が吐出され、出口側逆止弁９６のボール弁９６ａが受圧する水石鹸の圧力が減少する。ボール弁９６ａは、水石鹸の圧力が減少すると、吐出口４２ａを閉鎖する方向（下方）に移動し、吐出口４２ａから一定量の水石鹸の吐出が完了すると、吐出口４２ａが完全に閉鎖される。
水石鹸の吐出が完了した状態では、ピストン８５及び両ピストンヘッド８８，９０は水ポンプ室３８内と水石鹸ポンプ室４４内のそれぞれにおいて最も右側に摺動して水石鹸の吐出を完了する水石鹸吐出完了位置にある。
【００３８】
出口側逆止弁９６の吐出口４２ａから吐出された一定量の水石鹸は、水石鹸供給路３０の出口部４２の下流側へ送られ、最終的には、水石鹸供給栓１２の吐出口１２ｂから吐出される。これと同時に、水石鹸供給栓吐出口１２ｂに並置された水石鹸供給栓吐水口１２ａにおいても、電磁弁２８が開放されている間に通水口２９を通過した水の流量分だけ吐水が行われる。
水石鹸の吐出が完了すると、電磁弁２８の弁部材２８ａにより、通水口２９が再び閉鎖され、後述する水石鹸の補給操作が行われる。
【００３９】
図７は、本実施形態の水石鹸供給装置８０における水石鹸吐出操作時の水石鹸供給装置本体８２の作動状態を示す、図５及び図６と同様な正面断面図である。
上述したピストン８５が水石鹸吐出完了位置にある状態（図６参照）の水石鹸供給装置本体８２から、図７に示すように電磁弁２８によってポンプ通水路１４ｂの通水口２９が再び閉鎖されると、継続してポンプ通水路１４ｂの入口部３４の上流側から流路６４を経て水ポンプ室３８内に送られた水が水ポンプ室３８内に貯まる。また、ピストン８５のピストンヘッド８８が水ポンプ室３８内に貯水された水の圧力を受圧し、ピストン８５が圧縮コイルばね５４の付勢力に抗して再び水ポンプ室３８内の容積を増加させる方向（左方向）に摺動する。
これと同時に、水石鹸ポンプ室４４内では、ピストン８５の左方向の摺動にともない、水石鹸ポンプ室４４内のピストンヘッド９０が左方向へ摺動して水石鹸ポンプ室４４内の容積が増加し、水石鹸ポンプ室４４内には、容積の増加分に応じて水石鹸タンク８から水石鹸１０を吸入しようとする負圧が生じる。
【００４０】
また、水石鹸ポンプ室４４内に負圧が生じている状態の水石鹸供給路３０では、入口側逆止弁９４のボール弁９４ａが、この負圧により流入口４０ａを開放する方向（上方）に移動する。流入口４０ａが開放されると、水石鹸ポンプ室４４内の容積の増加分に相当する量の水石鹸が水石鹸タンク８から水石鹸供給路３０に吸入され、流入口４０ａを通過して水石鹸ポンプ室４４内に補給される。
一方、水石鹸供給路３０の出口側逆止弁９６では、水石鹸ポンプ室４４内に生じている負圧により、ボール弁９６ａが吐出口４２ａを閉鎖したままの状態を維持する。
水ポンプ室３８内の貯水量の増加と共にその水圧によってピストン８５及び両ピストンヘッド８８，９０が圧縮コイルばね５４の付勢力に抗して左方向の水石鹸吐出待機位置まで摺動して水石鹸ポンプ室４４の容積の増加が止まると、水石鹸タンク８からの水石鹸の補給が停止し、補給完了となる。このとき、水石鹸供給装置本体８２は、図５に示すような、再び水石鹸の吐出待機状態となり、水石鹸供給装置８０における水石鹸の吐出から補給までの一連の作業が終了する。
【００４１】
上述した本発明の第２実施形態による水石鹸供給装置８０によれば、第１実施形態と同様に、水石鹸吐出待機時及び水石鹸補給操作時の水石鹸供給装置本体８２において、ポンプ通水路１４ｂの水ポンプ室３８の下流側に組み込まれた電磁弁２８が通水口２９を閉鎖することにより、止水時の水ポンプ室３８内の給水圧を給水源４の給水圧の変動によらず一定にすることができる。また、水ポンプ室３８内の止水時の給水圧を利用することにより、ピストン８５を圧縮コイルばね５４の付勢力に抗して確実に水石鹸吐出待機位置まで摺動させることができ、水石鹸ポンプ室４４内に水石鹸を十分に補給した状態を維持することができる。
また、水石鹸吐出待機後の水石鹸吐出操作時において、電磁弁２８が通水口２９を閉鎖した状態から開放した状態に切り替わると、水ポンプ室３８内の水が通水口２９を経て吐水されて水ポンプ室３８内の給水圧が低下するため、ピストン８５がこの水ポンプ室３８内の給水圧の低下と共に圧縮コイルばね５４の付勢力により確実に水石鹸吐出完了位置まで摺動することができる。
これらの結果、本実施形態の水石鹸供給装置８０は、第１実施形態と同様に、水石鹸吐出待機時及び水石鹸補給操作時には、電磁弁２８が閉鎖している止水時の水ポンプ室３８内の給水圧を利用して、水石鹸ポンプ室４４内に水石鹸を確実に補給し、水石鹸吐出操作時には、電磁弁２８を開放して吐水時の水ポンプ室３８内の給水圧を十分に低下させて水石鹸ポンプ室４４から水石鹸を確実に吐出させるため、給水源４の給水圧の変動によらず水石鹸供給栓１２の吐出口１２ｂから一定量の水石鹸を使用者の手に供給することができる。
【図面の簡単な説明】
【００４２】
【図１】本発明の第１実施形態による水石鹸供給装置が組み込まれた洗面台の全体構成を概略的に示す概略全体構成図である。
【図２】本発明の第１実施形態による水石鹸供給装置の水石鹸供給装置本体を示す拡大正面断面図である。
【図３】本発明の第１実施形態による水石鹸供給装置の水石鹸供給装置本体における水石鹸吐出操作時の作動状態を示す、図２と同様な正面断面図である。
【図４】本発明の第１実施形態による水石鹸供給装置の水石鹸供給装置本体における水石鹸補給操作時の作動状態を示す、図２及び図３と同様な正面断面図である。
【図５】本発明の第２実施形態による水石鹸供給装置の水石鹸供給装置本体を示す拡大正面断面図である。
【図６】本発明の第２実施形態による水石鹸供給装置の水石鹸供給装置本体における水石鹸吐出操作時の作動状態を示す、図５と同様な正面断面図である。
【図７】本発明の第２実施形態による水石鹸供給装置の水石鹸供給装置本体における水石鹸補給操作時の作動状態を示す、図５及び図６と同様な正面断面図である。
【符号の説明】
【００４３】
１，８０  水石鹸供給装置
２  洗面台
２ａ  カウンター
３，８２  水石鹸供給装置本体
４  給水源
６  給水栓
６ａ  給水栓吐水口
８  水石鹸タンク
１０  水石鹸
１２  水石鹸供給栓
１２ａ  水石鹸供給栓吐水口
１２ｂ  水石鹸供給栓吐出口
１２ｃ  水石鹸供給栓用センサー検出部
１４  通水路
１４ａ  給水栓用通水路
１４ｂ  ポンプ通水路
１６  止水栓
１８  給水栓用電磁弁
１８ａ  制御信号
２０  発電機
２２  水石鹸供給栓用センサー
２２ａ  検出信号
２４  コントローラ
２６，８４  ピストンポンプ
２８  水石鹸供給装置用電磁弁
３０  水石鹸供給路
３２  水石鹸供給栓用センサー
３４  水石鹸供給装置本体のポンプ通水路の入口部
３６  水石鹸供給装置本体のポンプ通水路の出口部
３８  水ポンプ室
３８ａ  水ポンプ室の側壁
４０  水石鹸供給装置本体の水石鹸供給路の入口部
４０ａ  流入口
４２  水石鹸供給装置本体の水石鹸供給路の出口部
４２ａ  吐出口
４４  水石鹸ポンプ室
４５，８５  ピストン
４６，８６  ピストンロッド
４８  上部ピストンヘッド
５０  下部ピストンヘッド
５１，５３  ダイヤフラム
５２  水石鹸ポンプ室上壁部
５４，７０，７２  圧縮コイルばね
５６  ばね室
５８  密閉保持部材
６０  水ポンプ室の段部
６１  パッキン
６２  流量絞り部材
６４  流路
６６，６８，９４，９６  逆止弁
６６ａ，６８ａ  弁部材
８８，９０  ピストンヘッド
９２  Ｕパッキン
９３  脱気孔
９４ａ，９６ａ  ボール弁
【図１】
2006346009.tif 000003
【図２】
2006346009.tif 000004
【図３】
2006346009.tif 000005
【図４】
2006346009.tif 000006
【図５】
2006346009.tif 000007
【図６】
2006346009.tif 000008
【図７】
2006346009.tif 000009